(57)【要約】【課題】操作体の押圧方向に対して直交する方向に向けてケーブルを接続することができ、動作がスムーズで、構造が簡単な遠隔操作用スイッチ操作体を提供する。【解決手段】ケーブル３０１に連結されケーブル３０１を前進・後退させる方向に直線移動するケーブル駆動体１８０と、ケーブル駆動体１８０の移動方向に直交する方向に直線移動する操作体５０と、操作体５０の直線移動を一旦回転移動に変換し且つこの回転移動をケーブル駆動体１８０の直線移動に変換する移動方向変換体９０とを有する。移動方向変換体９０を介することで、操作体５０の直線移動をこれに直交するケーブル駆動体１８０の直線移動に変換してその動力をケーブル３０１に伝達する。【選択図】図１
2010113941.tif 000002
【特許請求の範囲】
【請求項１】
一端がスイッチ本体に連結されるケーブルの他端を取り付け、取り付けたケーブルを前記スイッチ本体に向けて前進・後退させることでスイッチ本体のオンオフ状態を切り換える遠隔操作用スイッチ操作体において、
前記ケーブルに連結されケーブルを前進・後退させる方向に直線移動するケーブル駆動体と、前記ケーブル駆動体の移動方向に交差する方向に直線移動する操作体と、前記操作体の直線移動を一旦回転移動に変換し且つこの回転移動を前記ケーブル駆動体の直線移動に変換する移動方向変換体と、を有し、
前記移動方向変換体を介することで、前記操作体の直線移動をこれに交差するケーブル駆動体の直線移動に変換してその動力を前記ケーブルに伝達することを特徴とする遠隔操作用スイッチ操作体。
【請求項２】
請求項１に記載の遠隔操作用スイッチ操作体において、
前記移動方向変換体は、回転軸と、この回転軸から半径方向に離れてこの回転軸と同一方向を向く一対の第１、第２駆動軸とを具備し、
前記操作体には、前記第１駆動軸を前記操作体の直線移動方向に交差する方向にスライド移動自在に挿入する第１軸ガイド部を設け、
前記ケーブル駆動体には、前記第２駆動軸を前記ケーブル駆動体の直線移動方向に交差する方向にスライド移動自在に挿入する第２軸ガイド部を設けたことを特徴とする遠隔操作用スイッチ操作体。
【請求項３】
請求項１または２に記載の遠隔操作用スイッチ操作体において、
前記操作体は第１ケース内にその直線移動方向が上下方向を向くように収納され、
前記移動方向変換体はその回転軸が軸支されるように第１ケース内に収納され、
前記ケーブル駆動体は第２ケース内にその直線移動方向が水平方向を向くように収納されるとともに第１ケースの側面に設置され、
前記移動方向変換体の第２駆動軸と前記ケーブル駆動体の第２軸ガイド部間の係合は、第１ケースの側面に設けた挿通部を通して行われることを特徴とする遠隔操作用スイッチ操作体。
【発明の詳細な説明】
【技術分野】
【０００１】
本発明は、スイッチを内蔵したスイッチ本体をワイヤを介して遠隔操作する遠隔操作用スイッチ操作体に関するものである。
【背景技術】
【０００２】
従来、スイッチを内蔵したスイッチ本体と、このスイッチ本体を操作する遠隔操作用のスイッチ操作体とをワイヤで連結し、前記スイッチ操作体を操作することで前記スイッチ本体のオンオフ状態を切り換えるスイッチ遠隔操作機構がある。この種のスイッチ遠隔操作機構によれば、スイッチ本体とスイッチ操作体とをそれぞれ最適な箇所に設置することができるので好適である。
【０００３】
そして従来のスイッチ操作体は、たとえば特許文献１の第５図に示すように、スイッチ操作体（５１）に収納されている操作体（５３）を押圧して移動させるその移動方向と同一方向に向けてケーブル（６４）をスイッチ操作体（５１）に接続する構成のものがほとんどであった。
【０００４】
一方たとえば、スイッチ操作体やスイッチ本体の設置位置によっては、操作体の押圧方向とは異なる方向に向けてケーブルをスイッチ操作体に接続した方が好適な場合がある。しかしながら、この種のスイッチ操作体として、操作体の押圧方向に対して交差する方向に向けてケーブルを接続する構造のもので、動作がスムーズで、構造が簡単で、組み立てが容易で、コンパクトなものはなかった。
【特許文献１】特開昭５４−１０１１７５号公報
【発明の開示】
【発明が解決しようとする課題】
【０００５】
本発明は上述の点に鑑みてなされたものでありその目的は、操作体の押圧方向に対して交差する方向に向けてケーブルを接続することができ、且つ動作がスムーズで、構造が簡単で、組み立てが容易な遠隔操作用スイッチ操作体を提供することにある。
【課題を解決するための手段】
【０００６】
本願請求項１に記載の発明は、一端がスイッチ本体に連結されるケーブルの他端を取り付け、取り付けたケーブルを前記スイッチ本体に向けて前進・後退させることでスイッチ本体のオンオフ状態を切り換える遠隔操作用スイッチ操作体において、前記ケーブルに連結されケーブルを前進・後退させる方向に直線移動するケーブル駆動体と、前記ケーブル駆動体の移動方向に交差する方向に直線移動する操作体と、前記操作体の直線移動を一旦回転移動に変換し且つこの回転移動を前記ケーブル駆動体の直線移動に変換する移動方向変換体と、を有し、前記移動方向変換体を介することで、前記操作体の直線移動をこれに交差するケーブル駆動体の直線移動に変換してその動力を前記ケーブルに伝達することを特徴とする遠隔操作用スイッチ操作体にある。
【０００７】
本願請求項２に記載の発明は、請求項１に記載の遠隔操作用スイッチ操作体において、前記移動方向変換体は、回転軸と、この回転軸から半径方向に離れてこの回転軸と同一方向を向く一対の第１、第２駆動軸とを具備し、前記操作体には、前記第１駆動軸を前記操作体の直線移動方向に交差する方向にスライド移動自在に挿入する第１軸ガイド部を設け、前記ケーブル駆動体には、前記第２駆動軸を前記ケーブル駆動体の直線移動方向に交差する方向にスライド移動自在に挿入する第２軸ガイド部を設けたことを特徴とする遠隔操作用スイッチ操作体にある。
【０００８】
本願請求項３に記載の発明は、請求項１または２に記載の遠隔操作用スイッチ操作体において、前記操作体は第１ケース内にその直線移動方向が上下方向を向くように収納され、
前記移動方向変換体はその回転軸が軸支されるように第１ケース内に収納され、前記ケーブル駆動体は第２ケース内にその直線移動方向が水平方向を向くように収納されるとともに第１ケースの側面に設置され、前記移動方向変換体の第２駆動軸と前記ケーブル駆動体の第２軸ガイド部間の係合は、第１ケースの側面に設けた挿通部を通して行われることを特徴とする遠隔操作用スイッチ操作体にある。
【発明の効果】
【０００９】
請求項１に記載の発明によれば、移動方向変換体を用いることで、操作体の直線移動をこれに交差するケーブル駆動体の直線移動に変換してその動力をケーブルに伝達することができる。したがってケーブルのスイッチ操作体への接続方向を、操作体の押圧方向に対して交差する方向にすることができる。
【００１０】
請求項２に記載の発明によれば、移動方向変換体に回転軸と第１、第２駆動軸とを設け、操作体に第１軸ガイド部、ケーブル駆動体に第２軸ガイド部を設けるという簡単な構成だけで、動作がスムーズで、構造が簡単で、組み立てが容易な遠隔操作用スイッチ操作体を構成することが可能になる。
【００１１】
請求項３に記載の発明によれば、操作体と移動方向変換体とをそれらが所望の動作をするように第１ケース内に収納し、ケーブル駆動体をそれが所望の動作をするように第２ケース内に収納した上で、第２ケースを第１ケースの側面に設置する構造なので、簡単な構造で確実に動作する遠隔操作用スイッチ操作体を構成でき、組み立ても容易に行える。
【発明を実施するための最良の形態】
【００１２】
以下、本発明の実施形態を図面を参照して詳細に説明する。図１は本発明の１実施形態にかかる遠隔操作用スイッチ操作体（以下単に「スイッチ操作体」という）１の分解斜視図、図２はスイッチ操作体１を他の側から見た分解斜視図である。これらの図に示すように、スイッチ操作体１は、第１ケース本体１１とカバー３１とによって構成される第１ケース１０と、第１ケース１０内に収納される操作体５０及び移動方向変換体９０及び連結ピン１２０及び弾発ばね１３０と、第１ケース１０の外周側面に取り付けられる第２ケース１５０と、第２ケース１５０内に収納されるケーブル駆動体１８０とを具持して構成されている。なお以下の説明において、「上」とは操作体５０のつまみ部５５が第１ケース１０から突出する方向をいい、「下」とはその反対方向をいうものとする。
【００１３】
第１ケース１０を構成する第１ケース本体１１は、合成樹脂を一方の側面が解放された箱型に成形して構成されている。内部の収納部１３は、下記する操作体５０の操作体本体部５１を上下方向に移動自在に挿入する寸法形状（略矩形状）に形成されている。第１ケース１０の上面には、前記解放された開口部１５側の上辺中央を矩形状に切り欠いてなるつまみ挿通部１７が設けられている。つまみ挿通部１７は、下記する操作体５０のつまみ基部５３を上下動自在にぴったり挿入する寸法形状（略矩形状）に形成されている。第１ケース１０の開口部１５の奥側の側面中央には、下記する移動方向変換体９０の回転軸９１の一方の端部（軸部１０３）を回動自在に挿入する円形の貫通孔からなる軸支部１９が設けられ、軸支部１９の下方には横長で略矩形状の貫通孔からなる挿通部２１が設けられ、この挿通部２１の周囲には複数個（６つ）の貫通する小孔からなる取付部２３が設けられている。挿通部２１には、下記する移動方向変換体９０の第２駆動軸９９と下記するケーブル駆動体１８０の第２軸ガイド部１８５との係合部分が配置される。
【００１４】
第１ケース１０を構成するカバー３１は、金属板製であり、平板状で前記第１ケース本体１１の開口部１３を塞ぐ寸法形状の略矩形状のカバー本体部３３と、カバー本体部３３の左右両側辺の上部から突出して第１ケース本体１１側を向くように折り曲げられる一対の側面部３５と、両側面部３５の先端からそれぞれ舌片状に突出する係止部３７と、両側面部３５の上辺から外方に向けて折り曲げられ中央に取付孔４０を有する略矩形状の取付板部３９と、カバー本体部３３の下辺中央から突出して第１ケース本体１１側を向くように折り曲げられる略コ字状の位置決め板部４１とを具備して構成されている。カバー本体部３３の中央には、下記する移動方向変換体９０の回転軸９１の一方の端部（軸支部１０１）を回動自在に挿入する円形の貫通孔からなる軸支部４３が設けられている。
【００１５】
操作体５０は、合成樹脂の一体成型品であり、前記第１ケース本体１１の収納部１３に上下動自在にぴったり収納される略矩形状の操作体本体部５１と、操作体本体部５１の上面から突出する略矩形状のつまみ基部５３と、つまみ基部５３の上面から突出する略四角柱状のつまみ部５５とを具備して構成されている。操作体本体部５１の中央には、前記第１ケース本体１１とカバー３１の側を向く面間を貫通する軸挿通孔５７が設けられ、その側部には前記軸挿通孔５７と同一方向に貫通する第１軸ガイド部５９が設けられ、前記軸挿通孔５７のもう一方の側部のカバー３１側を向く面にはプッシュロック用のカム溝機構６１が設けられ、また操作体本体部５１の前記第１ケース本体１１側を向く面の前記軸挿通孔５７と第１軸ガイド部５９を設けた部分には略矩形凹状の移動方向変換体挿入部６３が設けられ、操作体本体部５１の前記第１ケース本体１１側を向く面の前記カム溝機構６１を設けた反対面側の下部には略矩形凹状の切り欠きからなる弾発部材収納部６５が設けられている。
【００１６】
ここで前記軸挿通孔５７は、上下方向（鉛直方向）に長尺な長円形状であり、その左右方向の幅寸法は下記する移動方向変換体９０の回転軸９１の直径寸法よりも大きい寸法となっている。第１軸ガイド部５９は、左右方向（水平方向）に長尺な略矩形状であり、その上下方向の幅寸法は下記する移動方向変換体９０の第１駆動軸９７の直径寸法とほぼ同一になっている。カム溝機構６１は図５，図６に示すように、従来公知の各種プッシュロック用のカム溝機構（代表的にはハート型カム溝機構）であり、その内部に形成されるカム溝（環状溝）内を下記する連結ピン１２０のカム係合部１２１が定められた１方向にループ状に移動していくものである。即ちカム係合部１２１はロック解除時は図５に示す非ロック位置ａ１に位置し、カム係合部１２１に対して操作体５０を下降してその後前記下降を解除することで図６に示すロック位置ａ２にロックされ、再び操作体５０を下方に移動することでカム係合部１２１はロックが解除されて図５に示す元の非ロック位置ａ１に戻る構造になっている。図１，図２に戻って、凹状の移動方向変換体挿入部６３の下辺は切り欠かれて、下記する移動方向変換体９０の第２アーム部９５を挿通する挿通部６７となっている。
【００１７】
移動方向変換体９０は、合成樹脂の一体成型品であり、柱形状の回転軸９１と、回転軸９１の外周側面から半径方向外方に向けて突出する第１，第２アーム部９３，９５と、第１，第２アーム部９３，９５の先端に設けられる第１，第２駆動軸９７，９９とを具備して構成されている。回転軸９１の両端はその外径寸法を小さくしてなる軸部１０１，１０３となっている。また第１，第２駆動軸９７，９９は、第１，第２アーム部９３，９５によって、回転軸９１から半径方向に離れて回転軸９１と同一方向を向くように設置されている。
【００１８】
連結ピン１２０は、金属棒の両端を同一方向にほぼ直角に折り曲げ、その上端をカム係合部１２１、下端を軸支部１２３としている。
【００１９】
弾発ばね１３０は、この実施形態では円筒形状のコイルばね（圧縮コイルばね）によって構成されている。
【００２０】
第２ケース１５０は、合成樹脂を略矩形状に成型し、中央に水平方向に延びる長孔からなる挿通孔１５１を設け、第１ケース本体１１側を向く面に略矩形状の横長の駆動体収納部１５３を設け、駆動体収納部１５３の周囲の側壁上に複数本（６本）の小突起からなる取付部１５５を設け、またその上下辺と一方の端部近傍に切り欠きまたは貫通孔からなる複数（５つ）の係止部１５７を設けて構成されている。
【００２１】
ケーブル駆動体１８０は、合成樹脂を略矩形状に成型し、略矩形板状の駆動体基部１８１の第２ケース１５０側を向く面に前記第２ケース１５０の挿通孔１５１に挿通されて第２ケース１５０の反対面側から突出するケーブル係止部１８３を設け、また駆動体基部１８１の第１ケース本体１１側を向く面に前記第１ケース本体１１の挿通部２１に挿入される第２軸ガイド部１８５を設けて構成されている。駆動体基部１８１は前記第２ケース１５０の駆動体収納部１５３に左右方向（前記操作体５０の移動方向に直交する方向、水平方向）への移動が自在となるように収納される寸法形状に形成されている。ケーブル係止部１８３は略舌片薄板状に形成されている。第２軸ガイド部１８５は上下方向に向けて平行に設置された２つの板部材１８５ａ，１８５ａの間に上下方向を向くスリット１８５ｂを設けることで形成されている。スリット１８５ｂの幅寸法は、前記移動方向変換体９０の第２駆動軸９９の外径寸法とほぼ同一であり、第２駆動軸９９を回動自在で上下動自在にぴったり収納できる寸法に形成されている。
【００２２】
スイッチ操作体１を組み立てるには、まず第２ケース１５０の駆動体収納部１５３内にケーブル駆動体１８０を挿入し、その際ケーブル駆動体１８０のケーブル係止部１８３を第２ケース１５０の挿通孔１５１から突出する。次にこの第２ケース１５０を、第１ケース本体１１の収納部１３を設けた反対側の側面に当接し、第２ケース１５０の各取付部１５５を第１ケース本体１１の各取付部２３に挿入し、第１ケース本体１１の収納部１３側の側面から突出する各取付部１５５の先端を熱カシメによって固定する。このときケーブル駆動体１８０の第２軸ガイド部１８５は、第１ケース本体１１の挿通部２１内に挿入される。
【００２３】
次に第１ケース本体１１の収納部１３内に移動方向変換体９０を収納し、その際移動方向変換体９０の軸部１０３を第１ケース本体１１の軸支部１９に回動自在に挿入し、同時に移動方向変換体９０の第２駆動軸９９を第１ケース本体１１の挿通部２１内に挿入して第２軸ガイド部１８５のスリット１８５ｂ内に挿入・係合する。
【００２４】
次に弾発ばね１３０を操作体５０の弾発部材収納部６５内に収納し、また連結ピン１２０のカム係合部１２１を操作体５０のカム溝機構６１に係合させ且つ連結ピン１２０の軸支部１２３を弾発ばね１３０の下側に位置させた状態で、この操作体５０の操作体本体部５１を第１ケース本体１１の収納部１３内に収納する。このとき移動方向変換体９０の回転軸９１は操作体５０の軸挿通孔５７に挿入され、移動方向変換体９０の第１駆動軸９７は操作体５０の第１軸ガイド部５９内に挿入される。
【００２５】
次に第１ケース本体１１の収納部１３を塞ぐようにカバー３１を取り付け、その際カバー３１の側面部３５を第１ケース本体１１の側面に位置させ、第１ケース本体１１の反対面側に突出するカバー３１の係止部３７を第１ケース本体１１側に折り曲げてカバー３１を第１ケース本体１１に固定する。このとき操作体５０の軸挿通孔５７を貫通した移動方向変換体９０の回転軸９１の軸支部１０１はカバー３１の軸支部４３に回動自在に軸支される。これによってスイッチ操作体１が完成する。なお上記組立手順はその一例であり、他の各種異なる組立手順を用いて組み立てても良いことはいうまでもない。また本発明の要部ではないので詳細な説明は省略しているが、このとき前記連結ピン１２０の軸支部１２３は、第１ケース本体１１の収納部１３内の底面位置に回動自在に固定されている。
【００２６】
図３は上記組み立てられたスイッチ操作体１に連結ケーブル３００を介してスイッチ本体４００を連結する状態を示す概略斜視図である。同図に示すように連結ケーブル３００は、可撓性を有する棒状のケーブル３０１の両端に連結部３７０を取り付けて構成されている。ケーブル３０１にはその全長にわたってケーブル３０１を保持する帯状のケーブル保持帯３０５が取り付けられている。なお実際にはケーブル保持帯３０５を包むように可撓性を有する図示しない保護チューブが取り付けられるが、図３ではその記載を省略している。
【００２７】
図４は連結ケーブル３００の連結部３７０の部分を反対側の面から見た要部斜視図である。図３，図４に示すように連結部３７０は、連結用ケース３７１内にケーブル３０１の端部を収納して構成されている。連結用ケース３７１のスイッチ操作体１側を向く面の外周辺近傍部分からは、その面に垂直に突出する３つの係止爪３７３と、２つのガイド突起３７５とが設けられている。３つの係止爪３７３は前記第２ケース１５０の係止部１５７の内の３つの係止部１５７にスナップイン係合によって係止されるものであり、２つのガイド突起３７５は残り２つの係止部１５７にぴったり挿入されて正確に位置決めするものである。連結用ケース３７１のスイッチ操作体１側を向く面には開口３７７が設けられ、その内部には前記ケーブル３０１の端部を取り付けた取付板３０３が露出しており、さらに取付板３０３には駆動体取付部３０７が設けられている。駆動体取付部３０７は矩形状の貫通孔であり、前記ケーブル駆動体１８０のケーブル係止部１８３をぴったり係合する寸法に形成されている。すなわち取付板３０３はケーブル３０１に連結され、一方連結用ケース３７１にはケーブル保持帯３０５が固定され、したがって連結用ケース３７１内で取付板３０３を直線移動すれば、ケーブル３０１がケーブル保持帯３０５内を前進・後退する。
【００２８】
そしてこの連結部３７０を前記スイッチ操作体１の第２ケース１５０の表面に当接して第２ケース１５０の５つの係止部１５７にそれぞれ３つの係止爪３７３と２つのガイド突起３７５とを挿入・係合すれば、両者は一体化される。このとき第２ケース１５０から突出しているケーブル駆動体１８０のケーブル係止部１８３は、連結部３７０の開口３７７内に露出している取付板３０３の駆動体取付部３０７に挿入・係止される。
【００２９】
一方スイッチ本体４００は内部に図示しないスイッチ機構を内蔵しており、もう一方の連結部３７０が取り付けられる。このスイッチ本体４００においても、内部のスイッチ機構のスイッチをオンオフ操作する直線移動する図示しないケーブル係止部が外部に突出しており、このケーブル係止部をその上に取り付ける連結部３７０内の取付板３０３の駆動体取付部３０７に挿入・係止する。これによってスイッチ操作体１のケーブル係止部１８３とスイッチ本体４００のケーブル係止部とがケーブル３０１を介して連結される。
【００３０】
次に連結ケーブル３００によってスイッチ本体４００と連結されているスイッチ操作体１の動作を説明する。図５，図６はスイッチ操作体１の動作説明図であり、組み立てたスイッチ操作体１からカバー３１を取り外し、取り外した側の面から見た概略平面図である。まず図５に示す状態は、操作体５０が弾発ばね１３０の弾発力によって上方向に移動している状態を示しており、このとき操作体５０の第１軸ガイド部５９及びこれに係合している第１駆動軸９７は上方位置に位置し、第２駆動軸９９は第１ケース本体１１の挿通部２１内の図５に示す左側に位置している。したがって第２駆動軸９９に係合しているケーブル駆動体１８０は図５に示す左側に位置しており、このときケーブル駆動体１８０にケーブル３０１を介して連結しているスイッチ本体４００内のスイッチはオフ状態にあるとする。またこのとき連結ピン１２０のカム係合部１２１はカム溝機構６１の非ロック位置ａ１に位置している。
【００３１】
そして弾発ばね１３０の弾発力に抗して、操作体５０のつまみ部５５を押圧することで操作体５０を下降させた後、この押圧を解除すれば、図６に示すように、カム係合部１２１はロック位置ａ２にロックされる。このとき操作体５０の第１軸ガイド部５９及びこれに係合している第１駆動軸９７は下降して下方位置に位置し、同時に第２駆動軸９９は第１ケース本体１１の挿通部２１内を図６に示す右側に移動する。つまり移動方向変換体９０は回転軸９１を中心に回動する。このため第２駆動軸９９とともに右側に移動したケーブル駆動体１８０に連結されているケーブル３０１も移動し、これによってケーブル駆動体１８０にケーブル３０１を介して連結されているスイッチ本体４００も駆動・操作されてその内部のスイッチがオン状態に切り換わる。
【００３２】
次に再び操作体５０を下方に押圧移動させれば、カム係合部１２１はロックが解除され、操作体５０は上昇して図５の状態に戻り、カム係合部１２１は元の非ロック位置ａ１に戻り、移動方向変換体９０は回転軸９１を中心に回動し、第２駆動軸９９に係合しているケーブル駆動体１８０も図５に示す左側に移動し、ケーブル駆動体１８０に連結されているケーブル３０１も移動し、これによってケーブル駆動体１８０にケーブル３０１を介して連結しているスイッチ本体４００も駆動・操作されてその内部のスイッチはオフ状態に切り換わる。
【００３３】
以上説明したように、スイッチ操作体１は、一端がスイッチ本体４００に連結されるケーブル３０１の他端を取り付け、取り付けたケーブル３０１をスイッチ本体４００に向けて前進・後退させることでスイッチ本体４００のオンオフ状態を切り換えるものであり、その構造は、ケーブル３０１に連結されケーブル３０１を前進・後退させる方向に直線移動（図では水平移動）するケーブル駆動体１８０と、ケーブル駆動体１８０の移動方向に交差する方向（図では直交方向）に直線移動（図では垂直移動）する操作体５０と、操作体５０の直線移動を一旦回転移動に変換し且つこの回転移動をケーブル駆動体１８０の直線移動に変換する移動方向変換体９０と、を有し、移動方向変換体９０を介することで、操作体５０の直線移動をこれに交差するケーブル駆動体１８０の直線移動に変換してその動力をケーブル３０１に伝達するように構成している。つまりスイッチ操作体１は、移動方向変換体９０を用いることで、操作体５０の直線移動をこれに交差するケーブル駆動体１８０の直線移動に変換してその動力をケーブル３０１に伝達することができる。したがってケーブル３０１のスイッチ操作体１への接続方向を、操作体５０の押圧方向に対して交差する方向にすることができ、スイッチ操作体１やスイッチ本体４００の設置位置に合わせた、より好適なケーブル３０１に対するスイッチ操作体１の取付角度とすることができる。たとえば垂直方向に操作体５０を押圧するように設置したスイッチ操作体１と、このスイッチ操作体１とほぼ同一水平面上で離れた位置に設置されるスイッチ本体４００とを連結ケーブル３００で連結するような場合、スイッチ操作体１に対して水平に接続した連結ケーブル３００をそのまま水平方向に伸ばしてスイッチ本体４００に連結すればよいので、このような場合に特に好適である。
【００３４】
また移動方向変換体９０は、回転軸９１と、回転軸９１から半径方向に離れてこの回転軸９１と同一方向を向く一対の第１、第２駆動軸９７，９９とを具備して構成されており、一方操作体５０には第１駆動軸９７を操作体５０の直線移動方向に交差する方向にスライド移動自在に挿入する第１軸ガイド部５９を設け、ケーブル駆動体１８０には第２駆動軸９９をケーブル駆動体１８０の直線移動方向に交差する方向にスライド移動自在に挿入する第２軸ガイド部１８５を設けている。このように移動方向変換体９０に回転軸９１と第１，第２駆動軸９７，９９とを設け、操作体５０に第１軸ガイド部５９、ケーブル駆動体１８０に第２軸ガイド部１８５を設けるという簡単な構成だけで、動作がスムーズで、構造が簡単で、組み立てが容易なスイッチ操作体１を構成することができる。
【００３５】
またスイッチ操作体１は、操作体５０を第１ケース１０内にその直線移動方向が上下方向を向くように収納し、移動方向変換体９０を回転軸９１が軸支されるように第１ケース１０内に収納し、一方ケーブル駆動体１８０を第２ケース１５０内にその直線移動方向が水平方向を向くように収納するとともに第１ケース１０の側面に設置している。このように操作体５０と移動方向変換体９０とをそれらが所望の動作をするように第１ケース１０内に収納し、ケーブル駆動体１８０をそれが所望の動作をするように第２ケース１５０内に収納した上で、第２ケース１５０を第１ケース１０の側面に設置する構造なので、簡単な構造で確実に動作するスイッチ操作体１を構成でき、組み立ても容易に行える。
【００３６】
また上記実施形態では移動方向変換体９０に設けた第１駆動軸９７と第２駆動軸９９の突出方向を、それぞれ回転軸９１の回転中心軸方向に向かって逆方向としたので、回転軸９１の一方の軸端側に操作体５０を、他方の軸端側にケーブル駆動体１８０を容易に設置でき、操作体５０と移動方向変換体９０とケーブル駆動体１８０とを並列にコンパクトに設置できる。
【００３７】
また操作体５０に軸挿通孔５７を設けて、その中に、操作体５０の上下動に支障が生じないように回転軸９１を通したので、操作体５０を避けて移動方向変換体９０を設置する必要がなく、スイッチ操作体１のコンパクト化が図れる。
【００３８】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では、操作体５０の直線移動方向とケーブル駆動体１８０の直線移動方向とをほぼ直交させたが、直交以外の任意の角度に交差する方向としてもよい。このとき上記実施形態では交差の角度を９０°としたので、移動方向変換体９０の回転軸９１の回転中心軸に対して第１，第２駆動軸９７，９９がなす角度を約９０°としているが、たとえば前記交差の角度を４５°とするならば、移動方向変換体９０の回転軸９１の回転中心軸に対して第１，第２駆動軸９７，９９がなす角度もたとえば約４５°にするのが好ましい。このとき第１ケース本体１１に取り付ける第２ケース１５０の取付角度も上記実施形態のように水平ではなく、水平状態からたとえば約４５°回転した傾斜角度とするのが好ましい。
【図面の簡単な説明】
【００３９】
【図１】スイッチ操作体１の分解斜視図である。
【図２】スイッチ操作体１を他の側から見た分解斜視図である。
【図３】スイッチ操作体１に連結ケーブル３００を介してスイッチ本体４００を連結する状態を示す概略斜視図である。
【図４】連結ケーブル３００の連結部３７０の部分の要部斜視図である。
【図５】スイッチ操作体１の動作説明図である。
【図６】スイッチ操作体１の動作説明図である。
【符号の説明】
【００４０】
１  スイッチ操作体（遠隔操作用スイッチ操作体）
１０  第１ケース
１１  第１ケース本体
２１  挿通部
３１  カバー
５０  操作体
５１  操作体本体部
５９  第１軸ガイド部
９０  移動方向変換体
９１  回転軸
９７  第１駆動軸
９９  第２駆動軸
１５０  第２ケース
１８０  ケーブル駆動体
１８５  第２軸ガイド部
３０１  ケーブル
４００  スイッチ本体
【図１】
2010113941.tif 000003
【図２】
2010113941.tif 000004
【図３】
2010113941.tif 000005
【図４】
2010113941.tif 000006
【図５】
2010113941.tif 000007
【図６】
2010113941.tif 000008